(57)【特許請求の範囲】
【請求項１】
一端が第１の信号入力端子と接続されている第１の線路と、
一端が接地され、他端が第１の信号出力端子と接続されており、前記第１の線路と電磁結合される第２の線路と、
一端が開放されており、前記第２の線路と電磁結合される第３の線路と、
一端が前記第１の線路の他端と接続され、他端が開放されている第４の線路と、
一端が第２の信号出力端子と接続され、他端が接地されており、前記第４の線路と電磁結合される第５の線路と、
一端が前記第３の線路の他端と接続され、他端が第２の信号入力端子と接続されており、前記第５の線路と電磁結合される第６の線路とを備え、
前記第１から第６の線路は、前記第１及び第２の信号入力端子から入力される信号の周波数で４分の１波長の長さを有していることを特徴とする同相抑制回路。
【請求項２】
一端が接地され、他端が前記第１の信号出力端子と接続され、前記第２の線路と前記第３の線路との間に配置されており、前記第２の線路及び前記第３の線路のそれぞれと電磁結合される第７の線路と、
一端が前記第２の信号出力端子と接続され、他端が接地され、前記第５の線路と前記第６の線路との間に配置されており、前記第５の線路及び前記第６の線路のそれぞれと電磁結合される第８の線路とを備え、
前記第７及び第８の線路は、前記第１及び第２の信号入力端子から入力される信号の周波数で４分の１波長の長さを有していることを特徴とする請求項１記載の同相抑制回路。
【請求項３】
一端が前記第１の信号入力端子と接続され、他端が前記第１の線路の他端と接続され、前記第２の線路と前記第７の線路との間に配置されており、前記第２の線路及び前記第７の線路のそれぞれと電磁結合される第９の線路と、
一端が前記第４の線路の一端と接続され、他端が開放され、前記第５の線路と前記第８の線路との間に配置されており、前記第５の線路及び前記第８の線路のそれぞれと電磁結合される第１０の線路とを備え、
前記第９及び第１０の線路は、前記第１及び第２の信号入力端子から入力される信号の周波数で４分の１波長の長さを有していることを特徴とする請求項２記載の同相抑制回路。
【請求項４】
一端が第１の信号入力端子と接続されている第１の線路と、
一端が開放され、他端が第１の信号出力端子と接続されており、前記第１の線路と電磁結合される第２の線路と、
一端が接地されており、前記第２の線路と電磁結合される第３の線路と、
一端が前記第１の線路の他端と接続され、他端が接地されている第４の線路と、
一端が第２の信号出力端子と接続され、他端が開放されており、前記第４の線路と電磁結合される第５の線路と、
一端が前記第３の線路の他端と接続され、他端が第２の信号入力端子と接続されており、前記第５の線路と電磁結合される第６の線路とを備え、
前記第１から第６の線路は、前記第１及び第２の信号入力端子から入力される信号の周波数で４分の１波長の長さを有していることを特徴とする同相抑制回路。
【請求項５】
一端が開放され、他端が前記第１の信号出力端子と接続され、前記第２の線路と前記第３の線路との間に配置されており、前記第２の線路及び前記第３の線路のそれぞれと電磁結合される第７の線路と、
一端が前記第２の信号出力端子と接続され、他端が開放され、前記第５の線路と前記第６の線路との間に配置されており、前記第５の線路及び前記第６の線路のそれぞれと電磁結合される第８の線路とを備え、
前記第７及び第８の線路は、前記第１及び第２の信号入力端子から入力される信号の周波数で４分の１波長の長さを有していることを特徴とする請求項４記載の同相抑制回路。
【請求項６】
一端が前記第１の信号入力端子と接続され、他端が前記第１の線路の他端と接続され、前記第２の線路と前記第７の線路との間に配置されており、前記第２の線路及び前記第７の線路のそれぞれと電磁結合される第９の線路と、
一端が前記第４の線路の一端と接続され、他端が接地され、前記第５の線路と前記第８の線路との間に配置されており、前記第５の線路及び前記第８の線路のそれぞれと電磁結合される第１０の線路とを備え、
前記第９及び第１０の線路は、前記第１及び第２の信号入力端子から入力される信号の周波数で４分の１波長の長さを有していることを特徴とする請求項５記載の同相抑制回路。
【発明の詳細な説明】
【技術分野】
【０００１】
この発明は、入力される信号の周波数で４分の１波長の長さを有する複数の線路を備える同相抑制回路に関するものである。
【背景技術】
【０００２】
例えば、マイクロ波帯又はミリ波帯の回路に適用される同相抑制回路は、信号の伝送に差動信号が用いられることがある。
差動信号を用いる伝送方式は、２本の信号線上に、等振幅で、かつ、位相が１８０度異なる信号を伝送する方式であり、２本の信号線上の信号の電位差に情報を重畳することができる。
このため、差動信号の受信側の装置は、２本の信号線上の信号の電位差を検出することで、情報を取得する。
このとき、２本の信号線に同相の雑音が印加されても、２本の信号線上の信号の電位差は変化しないため、伝送品質に影響が及ばない。【０００３】
ただし、差動信号を構成する２つの信号は、理想的には等振幅かつ逆相であるが、コモンモードと呼ばれる同相成分が重畳された場合、振幅差が生じ、かつ、位相差が生じることがある。
差動信号を構成する２つの信号における振幅差及び位相差のそれぞれは、差動信号のバランスを崩すため、不要発振、スプリアス又は非線形性などが発生する原因となる。
したがって、重畳された同相成分を除去する必要があり、同相成分を除去する方法として、コモンモードの除去比が高い差動増幅器を用いる方法がある。
しかし、コモンモードの除去比が高い差動増幅器を用いる場合、差動増幅器によって生じる信号の歪又は差動増幅器から生じる雑音を抑制する必要があるため、マイクロ波帯又はミリ波帯では、平衡信号と不平衡信号を変換するバランを用いる方法が採用されることがある。【０００４】
以下の非特許文献１には、平衡信号と不平衡信号を変換するバランとして、第１のマーチャントバラン及び第２のマーチャントバランを備える同相抑制回路が開示されている。
第１のマーチャントバランは、以下に示すように、入力信号の周波数で４分の１波長の長さを有する第１〜第４の伝送線路を備えている。
（１）一端が第１の信号入力端子と接続されている第１の伝送線路
（２）一端が接地され、他端が第２の信号出力端子と接続されており、第１の伝送線路と電磁結合される第２の伝送線路
（３）一端が第１の伝送線路の他端と接続され、他端が開放されている第３の伝送線路
（４）一端が第１の信号出力端子と接続され、他端が接地されており、第３の伝送線路と電磁結合される第４の伝送線路【０００５】
第２のマーチャントバランは、以下に示すように、入力信号の周波数で４分の１波長の長さを有する第５〜第８の伝送線路を備えている。
（１）一端が第２の信号入力端子と接続されている第５の伝送線路
（２）一端が接地され、他端が第１の信号出力端子と接続されており、第５の伝送線路と電磁結合される第６の伝送線路
（３）一端が第５の伝送線路の他端と接続され、他端が開放されている第７の伝送線路
（４）一端が第２の信号出力端子と接続され、他端が接地されており、第７の伝送線路と電磁結合される第８の伝送線路【０００６】
この同相抑制回路では、第１の信号入力端子及び第２の信号入力端子から差動信号が入力されると、第１の信号出力端子及び第２の信号出力端子から差動信号が出力される。
また、第１の信号入力端子及び第２の信号入力端子から入力された同相信号は、相殺されるため、第１の信号出力端子及び第２の信号出力端子から出力されない。
【先行技術文献】
【非特許文献】
【０００７】
【非特許文献１】K.S. Ang nad I.D.Rebertson,“Analysis and Design of Impedance-Transforming Planar Marchand Baluns,” IEEE Trans. On Microwave Theory and Techniques, vol.49, no.2, pp.402-406, Feb.2001.
【発明の概要】
【発明が解決しようとする課題】
【０００８】
従来の同相抑制回路は以上のように構成されているので、第１の信号出力端子及び第２の信号出力端子からの同相信号の出力を抑えることができる。
しかし、入力信号の周波数で４分の１波長の長さを有する伝送線路を８本実装する必要があるという課題があった。【０００９】
この発明は上記のような課題を解決するためになされたもので、互いに独立している２つのマーチャントバランを用いる場合よりも、伝送線路の本数を減らすことができる同相抑制回路を得ることを目的とする。
【課題を解決するための手段】
【００１０】
この発明に係る同相抑制回路は、一端が第１の信号入力端子と接続されている第１の線路と、一端が接地され、他端が第１の信号出力端子と接続されており、第１の線路と電磁結合される第２の線路と、一端が開放されており、第２の線路と電磁結合される第３の線路と、一端が第１の線路の他端と接続され、他端が開放されている第４の線路と、一端が第２の信号出力端子と接続され、他端が接地されており、第４の線路と電磁結合される第５の線路と、一端が第３の線路の他端と接続され、他端が第２の信号入力端子と接続されており、第５の線路と電磁結合される第６の線路とを備え、第１から第６の線路が、第１及び第２の信号入力端子から入力される信号の周波数で４分の１波長の長さを有しているようにしたものである。
【発明の効果】
【００１１】
この発明によれば、一端が第１の信号入力端子と接続されている第１の線路と、一端が接地され、他端が第１の信号出力端子と接続されており、第１の線路と電磁結合される第２の線路と、一端が開放されており、第２の線路と電磁結合される第３の線路と、一端が第１の線路の他端と接続され、他端が開放されている第４の線路と、一端が第２の信号出力端子と接続され、他端が接地されており、第４の線路と電磁結合される第５の線路と、一端が第３の線路の他端と接続され、他端が第２の信号入力端子と接続されており、第５の線路と電磁結合される第６の線路とを備えるように構成したので、互いに独立している２つのマーチャントバランを用いる場合よりも、伝送線路の本数を減らすことができる効果がある。
【図面の簡単な説明】
【００１２】
【図１】この発明の実施の形態１による同相抑制回路を示す構成図である。
【図２】差動信号の入力時におけるＳパラメータＳ２１の振幅及びＳパラメータＳ３１の振幅を示す説明図である。
【図３】差動信号の入力時におけるＳパラメータＳ２１とＳパラメータＳ３１との位相差を示す説明図である。
【図４】同相信号の入力時におけるＳパラメータＳ５４の振幅及びＳパラメータＳ６４の振幅を示す説明図である。
【図５】第１〜第６の伝送線路を含む第１のマーチャントバランと、第７〜第１２の伝送線路を含む第２のマーチャントバランとを備える従来の同相抑制回路を示す構成図である。
【図６】この発明の実施の形態２による同相抑制回路を示す構成図である。
【図７】第１〜第８の伝送線路を含む第１のマーチャントバランと、第９〜第１６の伝送線路を含む第２のマーチャントバランとを備える従来の同相抑制回路を示す構成図である。
【図８】この発明の実施の形態３による同相抑制回路を示す構成図である。
【図９】この発明の実施の形態４による同相抑制回路を示す構成図である。
【図１０】この発明の実施の形態５による同相抑制回路を示す構成図である。
【図１１】この発明の実施の形態６による同相抑制回路を示す構成図である。
【発明を実施するための形態】
【００１３】
以下、この発明をより詳細に説明するために、この発明を実施するための形態について、添付の図面に従って説明する。
【００１４】
実施の形態１．
図１は、この発明の実施の形態１による同相抑制回路を示す構成図である。
図１において、第１の信号入力端子１ａは、例えば、マイクロ波帯又はミリ波帯の信号ＤＳ１を入力する端子である。
第２の信号入力端子１ｂは、例えば、マイクロ波帯又はミリ波帯の信号ＤＳ２を入力する端子である。
信号ＤＳ１と信号ＤＳ２は、同一周波数の信号であり、信号ＤＳ１の位相は、信号ＤＳ２の位相と１８０度異なっている。
したがって、信号ＤＳ１と信号ＤＳ２は、差動信号を構成している。ここでは、説明の便宜上、信号ＤＳ１の位相が０度、信号ＤＳ２の位相が１８０度であるとする。
【００１５】
第１の結合線路２は、第１の線路１１、第２の線路１２及び第３の線路１３を備えている。
第１の線路１１、第２の線路１２及び第３の線路１３のそれぞれは、信号ＤＳ１及び信号ＤＳ２の中心周波数で、４分の１波長の長さを有している。
第１の線路１１は、一端１１ａが第１の信号入力端子１ａと接続されている伝送線路である。
第２の線路１２は、一端１２ａが接地され、他端１２ｂが第１の信号出力端子４ａと接続されており、第１の線路１１と電磁結合される伝送線路である。
第３の線路１３は、一端１３ａが開放されており、第２の線路１２と電磁結合される伝送線路である。
【００１６】
第２の結合線路３は、第４の線路２１、第５の線路２２及び第６の線路２３を備えている。
第４の線路２１、第５の線路２２及び第６の線路２３のそれぞれは、信号ＤＳ１及び信号ＤＳ２の中心周波数で、４分の１波長の長さを有している。
第４の線路２１は、一端２１ａが第１の線路１１の他端１１ｂと接続され、他端２１ｂが開放されている伝送線路である。
第５の線路２２は、一端２２ａが第２の信号出力端子４ｂと接続され、他端２２ｂが接地されており、第４の線路２１と電磁結合される伝送線路である。
第６の線路２３は、一端２３ａが第３の線路１３の他端１３ｂと接続され、他端２３ｂが第２の信号入力端子１ｂと接続されており、第５の線路２２と電磁結合される伝送線路である。
【００１７】
第１の信号出力端子４ａは、第１の結合線路２から出力される信号ＤＳ３を出力する端子である。
第２の信号出力端子４ｂは、第２の結合線路３から出力される信号ＤＳ４を出力する端子である。
【００１８】
次に動作について説明する。
図１の同相抑制回路は、第１の結合線路２に含まれている第１の線路１１及び第２の線路１２と、第２の結合線路３に含まれている第４の線路２１及び第５の線路２２とが、第１のマーチャントバランを構成している。この実施の形態１では、第１のマーチャントバランの通過位相はθである。
また、図１の同相抑制回路は、第１の結合線路２に含まれている第２の線路１２及び第３の線路１３と、第２の結合線路３に含まれている第５の線路２２及び第６の線路２３とが、第２のマーチャントバランを構成している。この実施の形態１では、第２のマーチャントバランの通過位相はθである。
第１の信号出力端子４ａと接続されている第２の線路１２は、第１のマーチャントバランと第２のマーチャントバランにおいて共通化されている。
第２の信号出力端子４ｂと接続されている第５の線路２２は、第１のマーチャントバランと第２のマーチャントバランにおいて共通化されている。
【００１９】
第１の線路１１、第２の線路１２、第４の線路２１及び第５の線路２２が第１のマーチャントバランを構成しているため、第１の信号入力端子１ａから信号ＤＳ１が入力されると、第２の線路１２の他端１２ｂには、位相が（０＋θ）度の信号ＤＳ１−１が現れる。
また、第５の線路２２の一端２２ａには、位相が（１８０＋θ）度の信号ＤＳ１−２が現れる。
【００２０】
第２の線路１２、第３の線路１３、第５の線路２２及び第６の線路２３が第２のマーチャントバランを構成しているため、第２の信号入力端子１ｂから信号ＤＳ２が入力されると、第５の線路２２の一端２２ａには、位相が（１８０＋θ）度の信号ＤＳ２−１が現れる。
また、第２の線路１２の他端１２ｂには、位相が（０＋θ）度の信号ＤＳ２−２が現れる。
【００２１】
ここで、第２の線路１２の他端１２ｂに現れている信号ＤＳ１−１と信号ＤＳ２−２は、位相が共に（０＋θ）度の信号であるため同相合成される。
これにより、第１の信号出力端子４ａから、信号ＤＳ１−１と信号ＤＳ２−２の合成信号として、位相が（０＋θ）度の信号ＤＳ３が出力される。
また、第５の線路２２の一端２２ａに現れている信号ＤＳ１−２と信号ＤＳ２−１は、位相が共に（１８０＋θ）度の信号であるため同相合成される。
これにより、第２の信号出力端子４ｂから、信号ＤＳ１−２と信号ＤＳ２−１の合成信号として、位相が（１８０＋θ）度の信号ＤＳ４が出力される。
第１の信号出力端子４ａから出力される信号ＤＳ３と、第２の信号出力端子４ｂから出力される信号ＤＳ４との位相差が１８０度であるため、信号ＤＳ３と信号ＤＳ４は、差動信号である。
【００２２】
次に、第１の信号入力端子１ａ及び第２の信号入力端子１ｂから、雑音などの同相信号Ｃが入力された場合の動作を説明する。
ここでは、説明の便宜上、同相信号Ｃの位相がαであるとする。
第１の線路１１、第２の線路１２、第４の線路２１及び第５の線路２２が第１のマーチャントバランを構成しているため、第１の信号入力端子１ａから同相信号Ｃが入力されると、第２の線路１２の他端１２ｂには、位相が（α＋θ）度の信号Ｃ１−１が現れる。
また、第５の線路２２の一端２２ａには、位相が（１８０＋α＋θ）度の信号Ｃ１−２が現れる。
【００２３】
第２の線路１２、第３の線路１３、第５の線路２２及び第６の線路２３が第２のマーチャントバランを構成しているため、第２の信号入力端子１ｂから同相信号Ｃが入力されると、第５の線路２２の一端２２ａには、位相が（α＋θ）度の信号Ｃ２−１が現れる。
また、第２の線路１２の他端１２ｂには、位相が（１８０＋α＋θ）度の信号Ｃ２−２が現れる。
【００２４】
ここで、第２の線路１２の他端１２ｂに現れている信号Ｃ１−１と信号Ｃ２−２は、位相差が１８０度（＝｜（α＋θ）−（１８０＋α＋θ）｜）であり、かつ、振幅が同一であるため、相殺される。
また、第５の線路２２の一端２２ａに現れている信号Ｃ１−２と信号Ｃ２−１は、位相差が１８０度（＝｜（１８０＋α＋θ）−（α＋θ）｜）であり、かつ、振幅が同一であるため、相殺される。
これにより、第１の信号出力端子４ａ及び第２の信号出力端子４ｂからは、同相成分が出力されない。
【００２５】
次に、差動信号と同相信号が図１の同相抑制回路に入力された場合の特性を説明する。
ここでは、差動信号を第１の信号出力端子４ａ及び第２の信号出力端子４ｂに入力する場合、差動信号を生成することが可能な理想バランの平衡信号端子を第１の信号出力端子４ａ及び第２の信号出力端子４ｂと接続する。
また、理想バランの不平衡信号端子を特性計算回路のポート（１）として、ポート（１）に不平衡信号を入力するものとする。
また、第１の信号出力端子４ａを特性計算回路のポート（２）、第２の信号出力端子４ｂを特性計算回路のポート（３）として、ポート（１）とポート（２）の間のＳパラメータＳ２１と、ポート（１）とポート（３）の間のＳパラメータＳ３１とを計算するものとする。
【００２６】
次に、同相信号を第１の信号出力端子４ａ及び第２の信号出力端子４ｂに入力する場合、第１の信号出力端子４ａと第２の信号出力端子４ｂを接続し、特性計算回路のポート（４）に不平衡信号を入力するものとする。
また、第１の信号出力端子４ａを特性計算回路のポート（５）、第２の信号出力端子４ｂを特性計算回路のポート（６）として、ポート（４）とポート（５）の間のＳパラメータＳ５４と、ポート（４）とポート（６）の間のＳパラメータＳ６４とを計算するものとする。
【００２７】
図２は、差動信号の入力時におけるＳパラメータＳ２１の振幅及びＳパラメータＳ３１の振幅を示す説明図である。
図３は、差動信号の入力時におけるＳパラメータＳ２１とＳパラメータＳ３１との位相差を示す説明図である。
図２及び図３では、第１の線路１１、第２の線路１２、第３の線路１３、第４の線路２１、第５の線路２２及び第６の線路２３のそれぞれの長さを、周波数２０ＧＨｚで４分の１波長の長さとしている。
このため、図２に示すように、周波数２０ＧＨｚを中心として、同相抑制回路の通過損失が約−３ｄＢとなり、差動信号がほとんど損失されずに伝送されていることが分かる。
また、図３に示すように、周波数２０ＧＨｚで、ＳパラメータＳ２１とＳパラメータＳ３１との位相差が１８０度になっており、差動信号として伝送されていることが分かる。
【００２８】
図４は、同相信号の入力時におけるＳパラメータＳ５４の振幅及びＳパラメータＳ６４の振幅を示す説明図である。
図４に示すように、周波数２０ＧＨｚで、同相信号が２０ｄＢ程度減衰されていることが分かる。
【００２９】
以上で明らかなように、この実施の形態１によれば、一端１１ａが第１の信号入力端子１ａと接続されている第１の線路１１と、一端１２ａが接地され、他端１２ｂが第１の信号出力端子４ａと接続されており、第１の線路１１と電磁結合される第２の線路１２と、一端１３ａが開放されており、第２の線路１２と電磁結合される第３の線路１３と、一端２１ａが第１の線路１１の他端１１ｂと接続され、他端２１ｂが開放されている第４の線路２１と、一端２２ａが第２の信号出力端子４ｂと接続され、他端２２ｂが接地されており、第４の線路２１と電磁結合される第５の線路２２と、一端２３ａが第３の線路１３の他端１３ｂと接続され、他端２３ｂが第２の信号入力端子１ｂと接続されており、第５の線路２２と電磁結合される第６の線路２３とを備えている。
また、第１の線路１１、第２の線路１２、第３の線路１３、第４の線路２１、第５の線路２２及び第６の線路２３が、第１の信号入力端子１ａ及び第２の信号入力端子１ｂから入力される信号の周波数で４分の１波長の長さを有しているように構成している。
これにより、互いに独立している２つのマーチャントバランを用いる場合よりも、伝送線路の本数を減らすことができる効果を奏する。
例えば、非特許文献１に開示されている同相抑制回路は、８本の伝送線路を備えているが、この実施の形態１では、同相抑制回路が備えている伝送線路の本数が６本であり、伝送線路の本数が２本減少している。
したがって、この実施の形態１では、非特許文献１に開示されている同相抑制回路よりも小型化を図ることができる。
【００３０】
この実施の形態１では、ＩＣ（Ｉｎｔｅｇｒａｔｅｄ  Ｃｉｒｃｕｉｔ）を含む誘電体基板の平面上に、第１の線路１１、第２の線路１２、第３の線路１３、第４の線路２１、第５の線路２２及び第６の線路２３を配置することを想定している。
しかし、第１の線路１１、第２の線路１２、第３の線路１３、第４の線路２１、第５の線路２２及び第６の線路２３の配置は、誘電体基板の平面上に配置するものに限るものではない。
例えば、ＩＣを含む多層誘電体基板において、第１の線路１１、第２の線路１２、第３の線路１３、第４の線路２１、第５の線路２２及び第６の線路２３を複数の層に分散配置し、異なる層に配置されている線路が電磁結合するものであってもよい。
【００３１】
実施の形態２．
非特許文献１に開示されている同相抑制回路は、第１のマーチャントバランが第１〜第４の伝送線路を備え、第２のマーチャントバランが第５〜第８の伝送線路を備えている。
第１〜第８の伝送線路を誘電体基板に形成する際、線路と線路の間隔が極めて狭い場合、製造が困難になることがある。
図５に示すように、第１及び第２のマーチャントバランにおける各々の結合線路に対して、伝送線路を１本ずつ追加するようにすれば、隣り合う線路間の結合量を小さくても、第１及び第２のマーチャントバランを構成することが可能になることがある。
隣り合う線路間の結合量を小さくしても、第１及び第２のマーチャントバランを構成することが可能であれば、線路と線路の間隔を広げることが可能になり、製造の容易化を図ることができる。
図５は、第１〜第６の伝送線路を含む第１のマーチャントバランと、第７〜第１２の伝送線路を含む第２のマーチャントバランとを備える従来の同相抑制回路を示す構成図である。
第１〜第１２の伝送線路は、入力される差動信号の周波数で４分の１波長の長さを有している。
【００３２】
図６は、この発明の実施の形態２による同相抑制回路を示す構成図である。図６において、図１と同一符号は同一または相当部分を示すので説明を省略する。
第７の線路３１は、一端３１ａが接地され、他端３１ｂが第１の信号出力端子４ａと接続され、第２の線路１２と第３の線路１３との間に配置されており、第２の線路１２及び第３の線路１３のそれぞれと電磁結合される伝送線路である。
第８の線路３２は、一端３２ａが第２の信号出力端子４ｂと接続され、他端３２ｂが接地され、第５の線路２２と第６の線路２３との間に配置されており、第５の線路２２及び第６の線路２３のそれぞれと電磁結合される伝送線路である。
第７の線路３１及び第８の線路３２のそれぞれは、信号ＤＳ１及び信号ＤＳ２の中心周波数で、４分の１波長の長さを有している。
【００３３】
次に動作について説明する。
図６の同相抑制回路は、第１の結合線路２に含まれている第１の線路１１、第２の線路１２及び第７の線路３１と、第２の結合線路３に含まれている第４の線路２１、第５の線路２２及び第８の線路３２とが、第１のマーチャントバランを構成している。
また、図６の同相抑制回路は、第１の結合線路２に含まれている第２の線路１２、第７の線路３１及び第３の線路１３と、第２の結合線路３に含まれている第５の線路２２、第８の線路３２及び第６の線路２３が、第２のマーチャントバランを構成している。
第１の信号出力端子４ａと接続されている第２の線路１２及び第７の線路３１は、第１のマーチャントバランと第２のマーチャントバランにおいて共通化されている。
第２の信号出力端子４ｂと接続されている第５の線路２２及び第８の線路３２は、第１のマーチャントバランと第２のマーチャントバランにおいて共通化されている。
【００３４】
第１の線路１１、第２の線路１２、第７の線路３１、第４の線路２１、第５の線路２２及び第８の線路３２が第１のマーチャントバランを構成しているため、第１の信号入力端子１ａから信号ＤＳ１が入力されると、第２の線路１２の他端１２ｂ及び第７の線路３１の他端３１ｂには、位相が（０＋θ）度の信号ＤＳ１−１が現れる。
また、第５の線路２２の一端２２ａ及び第８の線路３２の一端３２ａには、位相が（１８０＋θ）度の信号ＤＳ１−２が現れる。
【００３５】
第２の線路１２、第７の線路３１、第３の線路１３、第５の線路２２、第８の線路３２及び第６の線路２３が第２のマーチャントバランを構成しているため、第２の信号入力端子１ｂから信号ＤＳ２が入力されると、第５の線路２２の一端２２ａ及び第８の線路３２の一端３２ａには、位相が（１８０＋θ）度の信号ＤＳ２−１が現れる。
また、第２の線路１２の他端１２ｂ及び第７の線路３１の他端３１ｂには、位相が（０＋θ）度の信号ＤＳ２−２が現れる。
【００３６】
ここで、第２の線路１２の他端１２ｂ及び第７の線路３１の他端３１ｂに現れている信号ＤＳ１−１と信号ＤＳ２−２は、位相が共に（０＋θ）度の信号であるため同相合成される。
これにより、第１の信号出力端子４ａから、信号ＤＳ１−１と信号ＤＳ２−２の合成信号として、位相が（０＋θ）度の信号ＤＳ３が出力される。
また、第５の線路２２の一端２２ａ及び第８の線路３２の一端３２ａに現れている信号ＤＳ１−２と信号ＤＳ２−１は、位相が共に（１８０＋θ）度の信号であるため同相合成される。
これにより、第２の信号出力端子４ｂから、信号ＤＳ１−２と信号ＤＳ２−１の合成信号として、位相が（１８０＋θ）度の信号ＤＳ４が出力される。
第１の信号出力端子４ａから出力される信号ＤＳ３と、第２の信号出力端子４ｂから出力される信号ＤＳ４との位相差が１８０度であるため、信号ＤＳ３と信号ＤＳ４は、差動信号である。
【００３７】
次に、第１の信号入力端子１ａ及び第２の信号入力端子１ｂから、雑音などの同相信号Ｃが入力された場合の動作を説明する。
第１の線路１１、第２の線路１２、第７の線路３１、第４の線路２１、第５の線路２２及び第８の線路３２が第１のマーチャントバランを構成しているため、第１の信号入力端子１ａから同相信号Ｃが入力されると、第２の線路１２の他端１２ｂ及び第７の線路３１の他端３１ｂには、位相が（α＋θ）度の信号Ｃ１−１が現れる。
また、第５の線路２２の一端２２ａ及び第８の線路３２の一端３２ａには、位相が（１８０＋α＋θ）度の信号Ｃ１−２が現れる。
【００３８】
第２の線路１２、第７の線路３１、第３の線路１３、第５の線路２２、第８の線路３２及び第６の線路２３が第２のマーチャントバランを構成しているため、第２の信号入力端子１ｂから同相信号Ｃが入力されると、第５の線路２２の一端２２ａ及び第８の線路３２の一端３２ａには、位相が（α＋θ）度の信号Ｃ２−１が現れる。
また、第２の線路１２の他端１２ｂ及び第７の線路３１の他端３１ｂには、位相が（１８０＋α＋θ）度の信号Ｃ２−２が現れる。
【００３９】
ここで、第２の線路１２の他端１２ｂ及び第７の線路３１の他端３１ｂに現れている信号Ｃ１−１と信号Ｃ２−２は、位相差が１８０度（＝｜（α＋θ）−（１８０＋α＋θ）｜）であり、かつ、振幅が同一であるため、相殺される。
また、第５の線路２２の一端２２ａ及び第８の線路３２の一端３２ａに現れている信号Ｃ１−２と信号Ｃ２−１は、位相差が１８０度（＝｜（１８０＋α＋θ）−（α＋θ）｜）であり、かつ、振幅が同一であるため、相殺される。
これにより、第１の信号出力端子４ａ及び第２の信号出力端子４ｂからは、同相成分が出力されない。
【００４０】
図６の同相抑制回路は、第１の結合線路２に第７の線路３１を追加し、第２の結合線路３に第８の線路３２を追加しているので、図５に示す従来の同相抑制回路と同様に、隣り合う線路間の結合量を小さくしても、第１及び第２のマーチャントバランを構成することが可能になる。
隣り合う線路間の結合量を小さくしても、第１及び第２のマーチャントバランを構成することが可能であれば、線路と線路の間隔を広げることが可能になり、製造の容易化を図ることができる。
【００４１】
以上で明らかなように、この実施の形態２によれば、一端３１ａが接地され、他端３１ｂが第１の信号出力端子４ａと接続され、第２の線路１２と第３の線路１３との間に配置されており、第２の線路１２及び第３の線路１３のそれぞれと電磁結合される第７の線路３１と、一端３２ａが第２の信号出力端子４ｂと接続され、他端３２ｂが接地され、第５の線路２２と第６の線路２３との間に配置されており、第５の線路２２及び第６の線路２３のそれぞれと電磁結合される第８の線路３２とを備え、第７の線路３１及び第８の線路３２のそれぞれが、信号ＤＳ１及び信号ＤＳ２の中心周波数で、４分の１波長の長さを有している。
これにより、互いに独立している２つのマーチャントバランを用いる場合よりも、伝送線路の本数を減らすことができる効果を奏する。
例えば、図５に示す従来の同相抑制回路は、１２本の伝送線路を備えているが、この実施の形態２では、同相抑制回路が備えている伝送線路の本数が８本であり、伝送線路の本数が４本減少している。
したがって、この実施の形態２では、図５に示す従来の同相抑制回路よりも小型化を図ることができる。
【００４２】
実施の形態３．
非特許文献１に開示されている同相抑制回路は、第１のマーチャントバランが第１〜第４の伝送線路を備え、第２のマーチャントバランが第５〜第８の伝送線路を備えている。
第１〜第８の伝送線路を誘電体基板に形成する際、線路と線路の間隔が極めて狭い場合、製造が困難になることがある。
図７に示すように、第１及び第２のマーチャントバランにおける各々の結合線路に対して、伝送線路を２本ずつ追加するようにすれば、隣り合う線路間の結合量を小さくても、第１及び第２のマーチャントバランを構成することが可能になることがある。
隣り合う線路間の結合量を小さくしても、第１及び第２のマーチャントバランを構成することが可能であれば、線路と線路の間隔を広げることが可能になり、製造の容易化を図ることができる。
図７は、第１〜第８の伝送線路を含む第１のマーチャントバランと、第９〜第１６の伝送線路を含む第２のマーチャントバランとを備える従来の同相抑制回路を示す構成図である。
第１〜第１６の伝送線路は、入力される差動信号の周波数で４分の１波長の長さを有している。
【００４３】
図８は、この発明の実施の形態３による同相抑制回路を示す構成図である。図８において、図１及び図６と同一符号は同一または相当部分を示すので説明を省略する。
第９の線路４１は、一端４１ａが第１の信号入力端子１ａと接続され、他端４１ｂが第１の線路１１の他端１１ｂと接続され、第２の線路１２と第７の線路３１との間に配置されており、第２の線路１２及び第７の線路３１のそれぞれと電磁結合される伝送線路である。
第１０の線路４２は、一端４２ａが第４の線路２１の一端２１ａと接続され、他端４２ｂが開放され、第５の線路２２と第８の線路３２との間に配置されており、第５の線路２２及び第８の線路３２のそれぞれと電磁結合される伝送線路である。
第９の線路４１及び第１０の線路４２のそれぞれは、信号ＤＳ１及び信号ＤＳ２の中心周波数で、４分の１波長の長さを有している。
【００４４】
次に動作について説明する。
図８の同相抑制回路は、第１の結合線路２に含まれている第１の線路１１、第２の線路１２、第９の線路４１及び第７の線路３１と、第２の結合線路３に含まれている第４の線路２１、第５の線路２２、第１０の線路４２及び第８の線路３２とが、第１のマーチャントバランを構成している。
また、図８の同相抑制回路は、第１の結合線路２に含まれている第２の線路１２、第９の線路４１、第７の線路３１及び第３の線路１３と、第２の結合線路３に含まれている第５の線路２２、第１０の線路４２、第８の線路３２及び第６の線路２３が、第２のマーチャントバランを構成している。
第１の信号出力端子４ａと接続されている第２の線路１２、第９の線路４１及び第７の線路３１は、第１のマーチャントバランと第２のマーチャントバランにおいて共通化されている。
第２の信号出力端子４ｂと接続されている第５の線路２２、第１０の線路４２及び第８の線路３２は、第１のマーチャントバランと第２のマーチャントバランにおいて共通化されている。
【００４５】
第１の線路１１、第２の線路１２、第９の線路４１、第７の線路３１、第４の線路２１、第５の線路２２、第１０の線路４２及び第８の線路３２が第１のマーチャントバランを構成しているため、第１の信号入力端子１ａから信号ＤＳ１が入力されると、第２の線路１２の他端１２ｂ及び第７の線路３１の他端３１ｂには、位相が（０＋θ）度の信号ＤＳ１−１が現れる。
また、第５の線路２２の一端２２ａ及び第８の線路３２の一端３２ａには、位相が（１８０＋θ）度の信号ＤＳ１−２が現れる。
【００４６】
第２の線路１２、第９の線路４１、第７の線路３１、第３の線路１３、第５の線路２２、第１０の線路４２、第８の線路３２及び第６の線路２３が第２のマーチャントバランを構成しているため、第２の信号入力端子１ｂから信号ＤＳ２が入力されると、第５の線路２２の一端２２ａ及び第８の線路３２の一端３２ａには、位相が（１８０＋θ）度の信号ＤＳ２−１が現れる。
また、第２の線路１２の他端１２ｂ及び第７の線路３１の他端３１ｂには、位相が（０＋θ）度の信号ＤＳ２−２が現れる。
【００４７】
ここで、第２の線路１２の他端１２ｂ及び第７の線路３１の他端３１ｂに現れている信号ＤＳ１−１と信号ＤＳ２−２は、位相が共に（０＋θ）度の信号であるため同相合成される。
これにより、第１の信号出力端子４ａから、信号ＤＳ１−１と信号ＤＳ２−２の合成信号として、位相が（０＋θ）度の信号ＤＳ３が出力される。
また、第５の線路２２の一端２２ａ及び第８の線路３２の一端３２ａに現れている信号ＤＳ１−２と信号ＤＳ２−１は、位相が共に（１８０＋θ）度の信号であるため同相合成される。
これにより、第２の信号出力端子４ｂから、信号ＤＳ１−２と信号ＤＳ２−１の合成信号として、位相が（１８０＋θ）度の信号ＤＳ４が出力される。
第１の信号出力端子４ａから出力される信号ＤＳ３と、第２の信号出力端子４ｂから出力される信号ＤＳ４との位相差が１８０度であるため、信号ＤＳ３と信号ＤＳ４は、差動信号である。
【００４８】
次に、第１の信号入力端子１ａ及び第２の信号入力端子１ｂから、雑音などの同相信号Ｃが入力された場合の動作を説明する。
第１の線路１１、第２の線路１２、第９の線路４１、第７の線路３１、第４の線路２１、第５の線路２２、第１０の線路４２及び第８の線路３２が第１のマーチャントバランを構成しているため、第１の信号入力端子１ａから同相信号Ｃが入力されると、第２の線路１２の他端１２ｂ及び第７の線路３１の他端３１ｂには、位相が（α＋θ）度の信号Ｃ１−１が現れる。
また、第５の線路２２の一端２２ａ及び第８の線路３２の一端３２ａには、位相が（１８０＋α＋θ）度の信号Ｃ１−２が現れる。
【００４９】
第２の線路１２、第９の線路４１、第７の線路３１、第３の線路１３、第５の線路２２、第１０の線路４２、第８の線路３２及び第６の線路２３が第２のマーチャントバランを構成しているため、第２の信号入力端子１ｂから同相信号Ｃが入力されると、第５の線路２２の一端２２ａ及び第８の線路３２の一端３２ａには、位相が（α＋θ）度の信号Ｃ２−１が現れる。
また、第２の線路１２の他端１２ｂ及び第７の線路３１の他端３１ｂには、位相が（１８０＋α＋θ）度の信号Ｃ２−２が現れる。
【００５０】
ここで、第２の線路１２の他端１２ｂ及び第７の線路３１の他端３１ｂに現れている信号Ｃ１−１と信号Ｃ２−２は、位相差が１８０度（＝｜（α＋θ）−（１８０＋α＋θ）｜）であり、かつ、振幅が同一であるため、相殺される。
また、第５の線路２２の一端２２ａ及び第８の線路３２の一端３２ａに現れている信号Ｃ１−２と信号Ｃ２−１は、位相差が１８０度（＝｜（１８０＋α＋θ）−（α＋θ）｜）であり、かつ、振幅が同一であるため、相殺される。
これにより、第１の信号出力端子４ａ及び第２の信号出力端子４ｂからは、同相成分が出力されない。
【００５１】
図８の同相抑制回路は、第１の結合線路２に第７の線路３１及び第９の線路４１を追加し、第２の結合線路３に第８の線路３２及び第１０の線路４２を追加しているので、図７に示す従来の同相抑制回路と同様に、隣り合う線路間の結合量を小さくしても、第１及び第２のマーチャントバランを構成することが可能になる。
隣り合う線路間の結合量を小さくしても、第１及び第２のマーチャントバランを構成することが可能であれば、線路と線路の間隔を広げることが可能になり、製造の容易化を図ることができる。
【００５２】
以上で明らかなように、この実施の形態３によれば、一端４１ａが第１の信号入力端子１ａと接続され、他端４１ｂが第１の線路１１の他端１１ｂと接続され、第２の線路１２と第７の線路３１との間に配置されており、第２の線路１２及び第７の線路３１のそれぞれと電磁結合される第９の線路４１と、一端４２ａが第４の線路２１の一端２１ａと接続され、他端４２ｂが開放され、第５の線路２２と第８の線路３２との間に配置されており、第５の線路２２及び第８の線路３２のそれぞれと電磁結合される第１０の線路４２とを備え、第９の線路４１及び第１０の線路４２のそれぞれが、信号ＤＳ１及び信号ＤＳ２の中心周波数で、４分の１波長の長さを有している。
これにより、互いに独立している２つのマーチャントバランを用いる場合よりも、伝送線路の本数を減らすことができる効果を奏する。
例えば、図７に示す従来の同相抑制回路は、１６本の伝送線路を備えているが、この実施の形態３では、同相抑制回路が備えている伝送線路の本数が１０本であり、伝送線路の本数が６本減少している。
したがって、この実施の形態３では、図７に示す従来の同相抑制回路よりも小型化を図ることができる。
【００５３】
実施の形態４．
上記実施の形態１では、第４の線路２１の他端２１ｂが開放され、第２の線路１２の一端１２ａが接地され、第５の線路２２の他端２２ｂが接地され、第３の線路１３の一端１３ａが開放されている例を示している。
この実施の形態４では、図９に示すように、第４の線路２１の他端２１ｂが接地され、第２の線路１２の一端１２ａが開放され、第５の線路２２の他端２２ｂが開放され、第３の線路１３の一端１３ａが接地されている例を説明する。
図９は、この発明の実施の形態４による同相抑制回路を示す構成図である。
【００５４】
図９の同相抑制回路は、上記実施の形態１と同様に、第１の結合線路２に含まれている第１の線路１１及び第２の線路１２と、第２の結合線路３に含まれている第４の線路２１及び第５の線路２２とが、第１のマーチャントバランを構成している。
また、図９の同相抑制回路は、上記実施の形態１と同様に、第１の結合線路２に含まれている第２の線路１２及び第３の線路１３と、第２の結合線路３に含まれている第５の線路２２及び第６の線路２３とが、第２のマーチャントバランを構成している。
第１の信号出力端子４ａと接続されている第２の線路１２は、上記実施の形態１と同様に、第１のマーチャントバランと第２のマーチャントバランにおいて共通化されている。
第２の信号出力端子４ｂと接続されている第５の線路２２は、上記実施の形態１と同様に、第１のマーチャントバランと第２のマーチャントバランにおいて共通化されている。
【００５５】
第１の線路１１、第２の線路１２、第４の線路２１及び第５の線路２２が第１のマーチャントバランを構成している点で、上記実施の形態１と同様である。
この実施の形態４における第１のマーチャントバランは、上記実施の形態１における第１のマーチャントバランとは、線路の端部の状態が相違している箇所がある。
具体的には、上記実施の形態１では、第４の線路２１の他端２１ｂが開放され、第２の線路１２の一端１２ａが接地され、第５の線路２２の他端２２ｂが接地され、第３の線路１３の一端１３ａが開放されている。
この実施の形態４では、第４の線路２１の他端２１ｂが接地され、第２の線路１２の一端１２ａが開放され、第５の線路２２の他端２２ｂが開放され、第３の線路１３の一端１３ａが接地されている。
しかし、この実施の形態４における第１のマーチャントバランと、上記実施の形態１における第１のマーチャントバランとの動作自体は同様である。
【００５６】
したがって、上記実施の形態１と同様に、第１の信号出力端子４ａ及び第２の信号出力端子４ｂから差動信号が出力され、第１の信号出力端子４ａ及び第２の信号出力端子４ｂからは同相成分が出力されない。
【００５７】
以上で明らかなように、この実施の形態４によれば、一端１１ａが第１の信号入力端子１ａと接続されている第１の線路１１と、一端１２ａが開放され、他端１２ｂが第１の信号出力端子４ａと接続されており、第１の線路１１と電磁結合される第２の線路１２と、一端１３ａが接地されており、第２の線路１２と電磁結合される第３の線路１３と、一端２１ａが第１の線路１１の他端１１ｂと接続され、他端２１ｂが接地されている第４の線路２１と、一端２２ａが第２の信号出力端子４ｂと接続され、他端２２ｂが開放されており、第４の線路２１と電磁結合される第５の線路２２と、一端２３ａが第３の線路１３の他端１３ｂと接続され、他端２３ｂが第２の信号入力端子１ｂと接続されており、第５の線路２２と電磁結合される第６の線路２３とを備えている。
また、第１の線路１１、第２の線路１２、第３の線路１３、第４の線路２１、第５の線路２２及び第６の線路２３が、第１の信号入力端子１ａ及び第２の信号入力端子１ｂから入力される信号の周波数で４分の１波長の長さを有しているように構成している。
これにより、互いに独立している２つのマーチャントバランを用いる場合よりも、伝送線路の本数を減らすことができる効果を奏する。
例えば、非特許文献１に開示されている同相抑制回路は、８本の伝送線路を備えているが、この実施の形態４では、同相抑制回路が備えている伝送線路の本数が６本であり、伝送線路の本数が２本減少している。
したがって、この実施の形態４では、非特許文献１に開示されている同相抑制回路よりも小型化を図ることができる。
【００５８】
実施の形態５．
上記実施の形態２では、第４の線路２１の他端２１ｂが開放され、第２の線路１２の一端１２ａが接地され、第５の線路２２の他端２２ｂが接地され、第３の線路１３の一端１３ａが開放されている例を示している。
また、上記実施の形態２では、第７の線路３１の一端３１ａが接地され、第８の線路３２の他端３２ｂが接地されている例を示している。
この実施の形態５では、図１０に示すように、第４の線路２１の他端２１ｂが接地され、第２の線路１２の一端１２ａが開放され、第５の線路２２の他端２２ｂが開放され、第３の線路１３の一端１３ａが接地されている。
また、第７の線路３１の一端３１ａが開放され、第８の線路３２の他端３２ｂが開放されている例を説明する。
図１０は、この発明の実施の形態５による同相抑制回路を示す構成図である。
【００５９】
図１０の同相抑制回路は、上記実施の形態２と同様に、第１の結合線路２に含まれている第１の線路１１、第２の線路１２及び第７の線路３１と、第２の結合線路３に含まれている第４の線路２１、第５の線路２２及び第８の線路３２とが、第１のマーチャントバランを構成している。
また、図１０の同相抑制回路は、第１の結合線路２に含まれている第２の線路１２、第７の線路３１及び第３の線路１３と、第２の結合線路３に含まれている第５の線路２２、第８の線路３２及び第６の線路２３が、第２のマーチャントバランを構成している。
第１の信号出力端子４ａと接続されている第２の線路１２及び第７の線路３１は、第１のマーチャントバランと第２のマーチャントバランにおいて共通化されている。
第２の信号出力端子４ｂと接続されている第５の線路２２及び第８の線路３２は、第１のマーチャントバランと第２のマーチャントバランにおいて共通化されている。
【００６０】
第１の線路１１、第２の線路１２、第７の線路３１、第４の線路２１、第５の線路２２及び第８の線路３２が第１のマーチャントバランを構成している点で、上記実施の形態２と同様である。
この実施の形態５における第１のマーチャントバランは、上記実施の形態２における第１のマーチャントバランとは、線路の端部の状態が相違している箇所がある。
具体的には、上記実施の形態２では、第４の線路２１の他端２１ｂが開放され、第２の線路１２の一端１２ａが接地され、第５の線路２２の他端２２ｂが接地され、第３の線路１３の一端１３ａが開放されている。また、第７の線路３１の一端３１ａが接地され、第８の線路３２の他端３２ｂが接地されている。
この実施の形態５では、第４の線路２１の他端２１ｂが接地され、第２の線路１２の一端１２ａが開放され、第５の線路２２の他端２２ｂが開放され、第３の線路１３の一端１３ａが接地されている。また、第７の線路３１の一端３１ａが開放され、第８の線路３２の他端３２ｂが開放されている。
しかし、この実施の形態５における第１のマーチャントバランと、上記実施の形態２における第１のマーチャントバランとの動作自体は同様である。
【００６１】
したがって、上記実施の形態２と同様に、第１の信号出力端子４ａ及び第２の信号出力端子４ｂから差動信号が出力され、第１の信号出力端子４ａ及び第２の信号出力端子４ｂからは同相成分が出力されない。
【００６２】
以上で明らかなように、この実施の形態５によれば、一端３１ａが開放され、他端３１ｂが第１の信号出力端子４ａと接続され、第２の線路１２と第３の線路１３との間に配置されており、第２の線路１２及び第３の線路１３のそれぞれと電磁結合される第７の線路３１と、一端３２ａが第２の信号出力端子４ｂと接続され、他端３２ｂが開放され、第５の線路２２と第６の線路２３との間に配置されており、第５の線路２２及び第６の線路２３のそれぞれと電磁結合される第８の線路３２とを備え、第７の線路３１及び第８の線路３２のそれぞれが、信号ＤＳ１及び信号ＤＳ２の中心周波数で、４分の１波長の長さを有している。
これにより、互いに独立している２つのマーチャントバランを用いる場合よりも、伝送線路の本数を減らすことができる効果を奏する。
例えば、図５に示す従来の同相抑制回路は、１２本の伝送線路を備えているが、この実施の形態５では、同相抑制回路が備えている伝送線路の本数が８本であり、伝送線路の本数が４本減少している。
したがって、この実施の形態５では、図５に示す従来の同相抑制回路よりも小型化を図ることができる。
【００６３】
実施の形態６．
上記実施の形態３では、第４の線路２１の他端２１ｂが開放され、第２の線路１２の一端１２ａが接地され、第５の線路２２の他端２２ｂが接地され、第３の線路１３の一端１３ａが開放されている例を示している。
また、上記実施の形態３では、第７の線路３１の一端３１ａが接地され、第８の線路３２の他端３２ｂが接地され、第１０の線路４２の他端４２ｂが開放されている例を示している。
この実施の形態６では、図１１に示すように、第４の線路２１の他端２１ｂが接地され、第２の線路１２の一端１２ａが開放され、第５の線路２２の他端２２ｂが開放され、第３の線路１３の一端１３ａが接地されている。
また、第７の線路３１の一端３１ａが開放され、第８の線路３２の他端３２ｂが開放され、第１０の線路４２の他端４２ｂが接地されている例を説明する。
図１１は、この発明の実施の形態６による同相抑制回路を示す構成図である。
【００６４】
図１１の同相抑制回路は、上記実施の形態３と同様に、第１の結合線路２に含まれている第１の線路１１、第２の線路１２、第９の線路４１及び第７の線路３１と、第２の結合線路３に含まれている第４の線路２１、第５の線路２２、第１０の線路４２及び第８の線路３２とが、第１のマーチャントバランを構成している。
また、図１１の同相抑制回路は、第１の結合線路２に含まれている第２の線路１２、第９の線路４１、第７の線路３１及び第３の線路１３と、第２の結合線路３に含まれている第５の線路２２、第１０の線路４２、第８の線路３２及び第６の線路２３が、第２のマーチャントバランを構成している。
第１の信号出力端子４ａと接続されている第２の線路１２、第９の線路４１及び第７の線路３１は、第１のマーチャントバランと第２のマーチャントバランにおいて共通化されている。
第２の信号出力端子４ｂと接続されている第５の線路２２、第１０の線路４２及び第８の線路３２は、第１のマーチャントバランと第２のマーチャントバランにおいて共通化されている。
【００６５】
第１の線路１１、第２の線路１２、第９の線路４１、第７の線路３１、第４の線路２１、第５の線路２２、第１０の線路４２及び第８の線路３２が第１のマーチャントバランを構成している点で、上記実施の形態３と同様である。
この実施の形態６における第１のマーチャントバランは、上記実施の形態３における第１のマーチャントバランとは、線路の端部の状態が相違している箇所がある。
具体的には、上記実施の形態３では、第４の線路２１の他端２１ｂが開放され、第２の線路１２の一端１２ａが接地され、第５の線路２２の他端２２ｂが接地され、第３の線路１３の一端１３ａが開放されている。また、第７の線路３１の一端３１ａが接地され、第８の線路３２の他端３２ｂが接地され、第１０の線路４２の他端４２ｂが開放されている。
この実施の形態６では、第４の線路２１の他端２１ｂが接地され、第２の線路１２の一端１２ａが開放され、第５の線路２２の他端２２ｂが開放され、第３の線路１３の一端１３ａが接地されている。また、第７の線路３１の一端３１ａが開放され、第８の線路３２の他端３２ｂが開放され、第１０の線路４２の他端４２ｂが接地されている。
しかし、この実施の形態６における第１のマーチャントバランと、上記実施の形態３における第１のマーチャントバランとの動作自体は同様である。
【００６６】
したがって、上記実施の形態３と同様に、第１の信号出力端子４ａ及び第２の信号出力端子４ｂから差動信号が出力され、第１の信号出力端子４ａ及び第２の信号出力端子４ｂからは同相成分が出力されない。
【００６７】
以上で明らかなように、この実施の形態６によれば、一端４１ａが第１の信号入力端子１ａと接続され、他端４１ｂが第１の線路１１の他端１１ｂと接続され、第２の線路１２と第７の線路３１との間に配置されており、第２の線路１２及び第７の線路３１のそれぞれと電磁結合される第９の線路４１と、一端４２ａが第４の線路２１の一端２１ａと接続され、他端４２ｂが接地され、第５の線路２２と第８の線路３２との間に配置されており、第５の線路２２及び第８の線路３２のそれぞれと電磁結合される第１０の線路４２とを備え、第９の線路４１及び第１０の線路４２のそれぞれが、信号ＤＳ１及び信号ＤＳ２の中心周波数で、４分の１波長の長さを有している。
これにより、互いに独立している２つのマーチャントバランを用いる場合よりも、伝送線路の本数を減らすことができる効果を奏する。
例えば、図７に示す従来の同相抑制回路は、１６本の伝送線路を備えているが、この実施の形態６では、同相抑制回路が備えている伝送線路の本数が１０本であり、伝送線路の本数が６本減少している。
したがって、この実施の形態６では、図７に示す従来の同相抑制回路よりも小型化を図ることができる。
【００６８】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６９】
この発明は、入力される信号の周波数で４分の１波長の長さを有する複数の線路を備える同相抑制回路に適している。
【符号の説明】
【００７０】
１ａ  第１の信号入力端子、１ｂ  第２の信号入力端子、２  第１の結合線路、３  第２の結合線路、４ａ  第１の信号出力端子、４ｂ  第２の信号出力端子、１１  第１の線路、１１ａ  第１の線路１１の一端、１１ｂ  第１の線路１１の他端、１２  第２の線路、１２ａ  第２の線路１２の一端、１２ｂ  第２の線路１２の他端、１３  第３の線路、１３ａ  第３の線路１３の一端、１３ｂ  第３の線路１３の他端、２１  第４の線路、２１ａ  第４の線路２１の一端、２１ｂ  第４の線路２１の他端、２２  第５の線路、２２ａ  第５の線路２２の一端、２２ｂ  第５の線路２２の他端、２３  第６の線路、２３ａ  第６の線路２３の一端、２３ｂ  第６の線路２３の他端、３１  第７の線路、３１ａ  第７の線路３１の一端、３１ｂ  第７の線路３１の他端、３２  第８の線路、３２ａ  第８の線路３２の一端、３２ｂ  第８の線路３２の他端、４１  第９の線路、４１ａ  第９の線路４１の一端、４１ｂ  第９の線路４１の他端、４２  第１０の線路、４２ａ  第１０の線路４２の一端、４２ｂ  第１０の線路４２の他端。
【図１】
0006625290.tif 000002
【図２】
0006625290.tif 000003
【図３】
0006625290.tif 000004
【図４】
0006625290.tif 000005
【図５】
0006625290.tif 000006
【図６】
0006625290.tif 000007
【図７】
0006625290.tif 000008
【図８】
0006625290.tif 000009
【図９】
0006625290.tif 000010
【図１０】
0006625290.tif 000011
【図１１】
0006625290.tif 000012